(57)【要約】【課題】製造コストを削減でき、組み付け性が容易な開閉体装置を提供する。【解決手段】調整ボルト２１の先端部を走行部材３１の貫通孔３４に挿通する。調整ボルト２１の回転軸部２６に水平ローラ３６を回転可能に挿通する。調整ボルト２１の断面矩形状の係合部２５に外周面が正六角形状の操作部材３７を係合する。調整ボルト２１の雄ねじ部２３を上側連結部材１４の取付溝部１６内の雌ねじ部に螺合する。走行部材３１と上側連結部材１４との間隔が調整ボルト２１にて調整可能となる。走行部材３１および上側連結部材１４の組み付け性を容易にできる。調整ボルト２１の雄ねじ部２３および係合部２５の外径寸法の差を小さくできる。【選択図】        図１
2004270220.tif 000002
【特許請求の範囲】
【請求項１】
開閉体と、
この開閉体を開閉方向に沿って開閉可能にガイドするガイド部材と、
前記開閉体の開閉方向に沿って前記ガイド部材に走行可能に支持された走行部材と、
この走行部材および前記開閉体を連結する連結部材と、
前記走行部材および連結部材のいずれか一方に設けられた雌ねじ部と、
この雌ねじ部に螺合される雄ねじ部、この雄ねじ部を回転させる係合部、および前記走行部材および連結部材のいずれか他方に回転可能に係合された頭部を備え、前記連結部材および走行部材の間隔を調整する調整部材と、
この調整部材の係合部に係合されて取り付けられ、この調整部材の雄ねじ部の回転を操作可能とする操作部材と
を具備したことを特徴とした開閉体装置。
【請求項２】
操作部材は、軸方向に沿って複数の部材により分割されて設けられ、これら部材の少なくとも一つがプレス材である
ことを特徴とした請求項１記載の開閉体装置。
【発明の詳細な説明】
【０００１】
【発明の属する技術分野】
本発明は、開閉体をガイド部材にて開閉可能にガイドする開閉体装置に関する。
【０００２】
【従来の技術】
従来、この種の開閉体装置としての折戸装置は、洋服だんすやクローゼット等の家具の収納空間の前面を開閉する開閉体としての折戸体である扉体を備えている。この扉体は、収容空間の上側縁あるいは下側縁に設けられたガイド部材としての細長溝状のガイドレールにより開閉がガイドされている。このガイドレールには、走行部材としてのガイドローラが、このガイドレールの長手方向に沿って走行可能に嵌合されて取り付けられている。
【０００３】
また、このガイドローラには、このガイドローラを扉体に連結させる連結部材としてのケース体が、調整部材としての調整ボルトを介して取り付けられている。そして、ケース体には、内周面にねじ溝が設けられた雌ねじ部が穿設されている。また、調整ボルトは、ガイドローラとケース体との間の間隔を調整させる。
【０００４】
さらに、この調整ボルトは、ケース体の雌ねじ部に螺合される雄ねじ部を備えている。この雄ねじ部の上側には、正六角形の断面形状を有する支持体としての操作部が一体的に設けられている。また、この操作部の上側中央部には、内周面にねじ溝が形成された雌ねじ部が形成されている。この雌ねじ部には、ガイドローラと調整ボルトとを回転可能に接続する固定ねじが螺合される。ここで、これら雄ねじ部、操作部および雌ねじ部のそれぞれは互いに軸方向を一致させて同心状に設けられている。
【０００５】
そして、操作部に六角スパナを係合させて、この操作部を操作して調整ボルトを回転させることにより、この調整ボルトの雄ねじ部とケース体との雌ねじ部との螺合距離が変化して、ガイドローラとケース体との間隔が調整される（例えば、特許文献１参照。）。
【０００６】
【特許文献１】
特開平８−１０９７６８号公報（第３−４頁、図２）
【０００７】
【発明が解決しようとする課題】
しかしながら、上述した折戸装置の調整ボルトでは、この調整ボルトの雄ねじ部の外径寸法と操作部の外径寸法が近い場合には、これら雄ねじ部および操作部をヘッダー加工により成形できるが、これら雄ねじ部と操作部との外径寸法に差がある場合には、これら雄ねじ部および操作部を切削加工により成形しなければならず、製造コストが掛かってしまう。
【０００８】
また、ガイドローラと調整ボルトとを回転可能に接続する固定ねじが緩まないように、この固定ねじと調整ボルトの雄ねじ部との間に固着剤を用いるなどといった特別な固定手段を用いて、固定ねじを調整ボルトの雌ねじ部に螺合させる必要があり、組み付け性が容易ではないという問題を有している。
【０００９】
本発明は、このような点に鑑みなされたもので、製造コストを削減でき、組み付け性が容易な開閉体装置を提供することを目的とする。
【００１０】
【課題を解決するための手段】
請求項１記載の開閉体装置は、開閉体と、この開閉体を開閉方向に沿って開閉可能にガイドするガイド部材と、前記開閉体の開閉方向に沿って前記ガイド部材に走行可能に支持された走行部材と、この走行部材および前記開閉体を連結する連結部材と、前記走行部材および連結部材のいずれか一方に設けられた雌ねじ部と、この雌ねじ部に螺合される雄ねじ部、この雄ねじ部を回転させる係合部、および前記走行部材および連結部材のいずれか他方に回転可能に係合された頭部を備え、前記連結部材および走行部材の間隔を調整する調整部材と、この調整部材の係合部に係合されて取り付けられ、この調整部材の雄ねじ部の回転を操作可能とする操作部材とを具備したものである。
【００１１】
そして、調整部材の頭部を走行部材および連結部材のいずれか他方に回転可能に係合するとともに、調整部材の係合部に操作部材を係合させて取り付ける。この後、この調整部材の雄ねじ部を走行部材および連結部材のいずれか一方に設けた雌ねじ部に螺合するだけで、これら走行部材と連結部材との間隔が調整部材により調整可能となるから、これら走行部材および連結部材の組み付け性が容易になる。また、調整部材の係合部に操作部材を係合させて取り付けたので、この調整部材の雄ねじ部および係合部の径寸法の差を小さくできるから、この調整部材の製造が容易になり、この調整部材の製造コストの削減が可能となる。
【００１２】
請求項２記載の開閉体装置は、操作部材は、軸方向に沿って複数の部材により分割されて設けられ、これら部材の少なくとも一つがプレス材であるものである。
【００１３】
そして、操作部材を軸方向に沿って複数の部材に分割して設け、これら部材の少なくとも一つをプレス材とするこにより、この操作部材の操作で調整部材の雄ねじ部を雌ねじ部に対して回転させて調整する際の、この操作部材の破損を簡単な構成で確実に防止できる。
【００１４】
【発明の実施の形態】
以下、本発明の開閉体装置の一実施の形態の構成を図１ないし図４を参照して説明する。
【００１５】
図３において、１は開口部で、この開口部１は、矩形状であり、例えば洋服だんすなどの家具やクローゼットなどの前側に設けられている。そして、この開口部１には、図２ないし図４に示すように、開閉体としての矩形平板状の扉体２が取り付けられている。この扉体２は、開口部１の開口縁に沿って、この開口部１を開閉可能に閉塞する。
【００１６】
また、この扉体２の背面側の上端側および下端側それぞれの両側部には、略円形凹状の取付凹部３が設けられている。この取付凹部３は、扉体の厚さ方向である前後方向に沿った軸方向を有している。そして、扉体２の上端側に設けられた取付凹部３は、この扉体２の上端面に連通している。また、この扉体２の下端側に設けられた取付凹部３は、この扉体２の下端面に連通している。
【００１７】
さらに、扉体２の上端側に設けられた取付凹部３には、図１ないし図４に示すように、この扉体２を開口部１の上端縁に対して移動可能に支持する開閉体取付装置としての上側取付装置１１がそれぞれ取り付けられている。これら上側取付装置１１は、図１および図２に示すように、扉体２の上側の取付凹部３に基端側が埋設されて取り付けられる取付部材としてのベースカップ１２を備えている。このベースカップ１２は、このベースカップ１２の径方向に向けて開口した嵌合凹部１３を有している。
【００１８】
そして、このベースカップ１２の嵌合凹部１３には、ケース体としての上側連結部材１４の基端側が着脱可能に嵌合されて固定される。この上側連結部材１４には、この上側連結部材１４によるベースカップ１２の嵌合凹部１３への嵌合を係脱可能にロックする図示しないロック機構が設けられている。また、この上側連結部材１４の前側面の下側には、この上側連結部材１４によるベースカップ１２の嵌合凹部１３への嵌合固定を解除させるロックレバー１５が設けられている。このロックレバー１５は、このロックレバー１５の下方への操作により、上側連結部材１４によるベースカップ１２の嵌合凹部１３への嵌合固定を解除させる。
【００１９】
さらに、この上側連結部材１４の上側面の基端側の中央部には、この上側連結部材１４の上下方向に沿って貫通した貫通孔としての取付溝部１６が設けられている。この取付溝部１６は、上下方向に沿った軸方向を有している。また、この取付溝部１６の内周面には、軸方向に沿って周方向に向けて等間隔に形成されたローレット１７が設けられている。さらに、この取付溝部１６の内部には、上側連結部材１４の下側面へと貫通した貫通孔としての雌ねじ部１８が設けられている。この雌ねじ部１８の内周面には、周方向に向けて螺旋状に巻回した図示しないねじ溝が形成されている。また、この雌ねじ部１８は、取付溝部１６と同心状に設けられており、上側連結部材１４の上下方向に沿った軸方向を有している。
【００２０】
そして、上側連結部材１４の取付溝部１６には、この取付溝部１６の上側から、上側連結部材１４と後述する走行部材３１との間の間隔を調整する上下方向調整用の調整部材としての細長略円柱状の調整ボルト２１の基端側が周方向に向けて回転可能に挿入されている。この調整ボルト２１の先端側には、外周面に周方向に向けて螺旋状に巻回したねじ溝２２が設けられた軸部としての雄ねじ部２３が一体的に形成されている。この雄ねじ部２３は、上側連結部材１４の雌ねじ部１８に対して回転可能に螺合されるように構成されている。
【００２１】
また、この雄ねじ部２３の基端側には、この雄ねじ部２３の周方向に沿った断面凹溝状の係合溝部としてのリング溝２４が設けられている。このリング溝２４は、例えば雄ねじ部２３の外周面に沿って切削加工によって円環状に形成されている。さらに、このリング溝２４の基端側には、断面略正方形状の係合部２５が一体的に設けられている。この係合部２５は、雄ねじ部２３を周方向に向けて回転させる操作部であり、この雄ねじ部２３の最大外径寸法よりも若干大きな最大外径寸法を有している。また、この係合部２５は、雄ねじ部２３の軸方向と一致した軸方向を有し、この雄ねじ部２３に対して同心状に設けられている。
【００２２】
さらに、この係合部２５の基端側には、円柱状の回転支持部としての回転軸部２６が一体的に設けられている。この回転軸部２６は、係合部２５の最大外径寸法に略等しい外径寸法を有している。また、この回転軸部２６は、係合部２５の軸方向に一致した軸方向を有し、この係合部２５に対して同心状に設けられている。
【００２３】
そして、この回転軸部２６の基端側には、この回転軸部２６での調整ボルト２１の周方向への回転を支持し、この回転軸部２６よりも径大な円盤状の頭部２７が同心状に設けられている。この頭部２７は、回転軸部２６の外径寸法よりも若干大きな外径寸法を有している。また、この頭部２７は、回転軸部２６の軸方向に一致した軸方向を有し、この回転軸部２６に対して同心状に設けられている。さらに、この頭部２７の基端側の端面である、調整ボルト２１の上端面には、上面視正六角形状である断面凹状の操作凹部としての操作溝部２８が一体的に設けられている。この操作溝部２８は、頭部２７の軸方向に一致した軸方向を有しており、この頭部２７に対して同心状に設けられている。また、この操作溝部２８には、治具としての図示しない六角レンチなどの治具の一端部が嵌合されて、調整ボルト２１を周方向に向けて回転操作させる。
【００２４】
さらに、この調整ボルト２１の基端側には、図１ないし図４に示すように、走行体としての走行部材３１が水平方向に向けて回転可能に取り付けられている。この走行部材３１は、上側連結部材１４を介して扉体２の背面上側の両側部のそれぞれに連結されている。また、この走行部材３１は、細長略直方体状の本体部としてのローラホルダ３２を備えている。このローラホルダ３２の前後両側面には、複数、例えば１個ずつ計４個のローラ体であるガイドローラ３３のそれぞれがローラホルダ３２の両側面に沿って回転可能に軸着されている。これらガイドローラ３３は、走行部材３１の長手方向である走行方向に直交する方向、すなわち幅方向に向けて離間されて配設されている。
【００２５】
さらに、ローラホルダ３２の上側面における中央部には、このローラホルダ３２の上下方向に沿って貫通した断面円状の貫通孔３４が形成されている。この貫通孔３４は、調整ボルト２１の回転軸部２６の外径寸法よりも若干大きな内径寸法を有しており、この調整ボルト２１の回転軸部２６が回転可能に挿入されて保持される。また、この貫通孔３４は、ローラホルダ３２の幅方向における中央部である重心に設けられている。
【００２６】
そして、この貫通孔３４におけるローラホルダ３２の上側面側の開口縁には、この貫通孔３４を拡開させる断面円状の係止段部３５が同心状に設けられている。この係止段部３５は、貫通孔３４の内径寸法よりも大きく、調整ボルト２１の頭部２７の外径寸法よりも若干大きな内径寸法を有している。すなわち、この係止段部３５には、調整ボルト２１の頭部２７が回転可能に嵌合されて係合され、この調整ボルト２１の下方への抜けを防止する。
【００２７】
ここで、この走行部材３１の上側から、この走行部材３１の貫通孔３４に挿入された調整ボルト２１の回転軸部２６の先端側には、円環状の水平ローラ３６が回転可能に挿通されて取り付けられている。この水平ローラ３６は、調整ボルト２１の回転軸部２６に対して同心状に取り付けられており、この回転軸部２６と軸方向を一致させて回転する。また、この調整ボルト２１の係合部２５には、略円筒状である操作部材３７が挿通されて係合された状態で取り付けられている。この操作部材３７は、断面略多角形筒状、具体的には外側面が上面視正六角形状に形成され、かつ内側面が上面視略正方形状に形成されている。
【００２８】
また、この操作部材３７は、調整ボルト２１の雄ねじ部２３の回転を操作可能とする操作部である。さらに、この操作部材３７は、下端側が上側連結部材１４の取付溝部１６に挿入されて、この取付溝部１６のローレット１７に回転可能に係合保持される。また、この操作部材３７は、上側連結部材１４の取付溝部１６に挿入された状態で、所定値以上の力を周方向に向けて加えることにより、この取付溝部１６の各ローレット１７を乗り越えながら回転する。
【００２９】
そして、この操作部材３７は、調整ボルト２１の係合部２５の上側に取り付けられる第１の操作部材としてのプレス操作部３８と、調整ボルト２１の係合部２５の下側に取り付けられる第２の操作部材としての樹脂操作部３９とにより、軸方向に向けて複数、例えば２個に分割されて設けられている。ここで、プレス操作部３８は、所定の厚さ、例えば２ｍｍ程度の厚さを有する硬質な金属板のプレス加工により成形されたプレス材である。また、このプレス操作部３８は、操作部材３７の外周面に、図示しない六角スパナなどの治具を係合させて、調整ボルト２１を回転させる際の荷重を主に受けて、この調整ボルト２１の樹脂操作部３９の外周面における各角部の破損や削れを防止する。一方、樹脂操作部３９は、プレス操作部３８よりも軸方向に沿って厚く形成されており、操作部材３７の高さ寸法を大きくして、この操作部材３７の外周面への六角スパナなどの係合を容易にする。
【００３０】
さらに、調整ボルト２１のリング溝２４には、この調整ボルト２１の回転軸部２６に走行部材３１および水平ローラ３６のそれぞれ回転可能に嵌合され、この調整ボルト２１の係合部２５に操作部材３７が係合されて取り付けられた状態で、抜止部材としてのリング体である上面視略Ｅ字状のＥリング４１が係合されて取り付けられている。このＥリング４１は、操作部材３７のプレス操作部３８と樹脂操作部３９とが常に当接するように、これらプレス操作部３８および樹脂操作部３９を調整ボルト２１の係合部２５に抜け止め保持する。
【００３１】
一方、開口部１の上端部には、下方に向けて開口した案内部としてのガイド部材としての細長断面略コ字状の上ガイドレール５１が取り付けられている。この上ガイドレール５１は、扉体２の上側を長手方向である開閉方向に沿って開閉可能にガイドする。また、この上ガイドレール５１は、この上ガイドレール５１の長手方向である開閉方向に沿って走行部材３１を走行可能に係合保持する。さらに、この上ガイドレール５１は、下方に向けて開口した断面略コ字状に形成されている。
【００３２】
そして、この上ガイドレール５１の下面中央には、走行部材３１のローラホルダ３２を移動可能とするガイド溝５２が設けられている。このガイド溝５２には、走行部材３１の水平ローラ３６が回転可能かつ走行可能に係合されて保持される。また、この上ガイドレール５１のガイド溝５２の両側部の内側には、走行部材３１の各ガイドローラ３３が回転可能かつ走行可能に保持されるローラ受面５３がそれぞれ形成されている。この結果、扉体２は、上ガイドレール５１のローラ受面５３に各ガイドローラ３３が走行可能に嵌合されている複数、例えば２個の走行部材３１によって開口部１の上端縁に吊り下げ支持されている。
【００３３】
さらに、この扉体２の下側の両側部に設けられた取付凹部３のそれぞれには、開閉体取付装置としての下側取付装置６１がそれぞれ取り付けられている。これら下側取付装置６１は、上下を反転させた上側取付装置１１に略等しい形状である。具体的に、この下側取付装置６１は、ベースカップ１２を備えており、このベースカップ１２の嵌合凹部１３には、下側連結部材６２が着脱可能に嵌合されて取り付けられる。さらに、この下側連結部材６２には取付溝部１６が設けられており、この下側連結部材６１の下端面には取付溝部１６に対して同心状に連通した連通孔６３が設けられている。この連通孔６３は、取付溝部１６の内径寸法よりも小さな内径寸法を有している。
【００３４】
そして、これら取付溝部１６および連通孔６３には、軸体としての細長略円柱状のシャフト６４が挿通されて取り付けられている。このシャフト６４は、連通孔６３の内径寸法よりも若干小さな外径寸法を有する細長円柱状の軸部６５を備えている。この軸部６５の基端側には、この軸部６５の外径寸法よりも大きな外径寸法を有する円盤状の抜止頭部６６が一体的に設けられている。
【００３５】
この抜止頭部６６は、連通孔６３の内径寸法より大きく、かつ取付溝部１６の内径寸法より若干小さな外径寸法を有している。また、この抜止頭部６６は、連通孔６３に対してシャフト６４を抜止保持する。さらに、このシャフト６４の軸部６５には、螺旋状に巻回した付勢手段としてのコイルスプリング６７が挿通されて取り付けられている。このコイルスプリング６７は、下側連結部材６２とシャフト６４の軸部６５との間に軸方向に沿った弾性力を与えて、扉体２による開口部１の下端縁からの衝撃を吸収する衝撃吸収手段である。
【００３６】
ここで、シャフト６４は、このシャフト６４の軸部６５にコイルスプリング６７を挿通させた状態で、このシャフト６４の軸部６５の先端部が下側連結部材６２の取付溝部１６の上側から挿入されて、この下側連結部材６２の貫通孔６３の下端縁にコイルスプリング６７の下端側が係止されつつ、この下側連結部材６２の連通孔６３からシャフト６４の軸部６５の先端部が挿通されて突出される。さらに、このシャフト６４の軸部６５の先端部には、走行部としての走行部材である円環状の水平ローラ６８が水平方向に沿って回転可能に取り付けられている。この水平ローラ６８は、下側連結部材６２の下端面に対して並行に回転可能とされている。言い換えると、この水平ローラ６８は、シャフト６４の周方向に沿って回転可能とされている。
【００３７】
そして、この水平ローラ６８は、開口部１の下端部に配設されて固定された案内部としてのガイド部材である細長断面略コ字状の下ガイドレール７１に回転可能かつ走行可能に嵌合保持されている。この下ガイドレール７１は、開口部１の下端部に長手方向を並行にした状態で取り付けられているとともに、上ガイドレール５１の長手方向に長手方向を並行にした状態で取り付けられている。また、この下ガイドレール７１は、上ガイドレール５１にて上側が開閉可能にガイドされた扉体２の下側を長手方向である開閉方向に沿って開閉可能にガイドする。さらに、この下ガイドレール７１は、この下ガイドレール７１の長手方向に沿って下側取付装置６１を走行可能に係合保持する。
【００３８】
また、この下ガイドレール７１は、上方に向けて開口した下側溝部としての断面略コ字状の走行凹部７２を備えている。この走行凹部７２は、下側取付装置６１の水平ローラ６８の外径寸法よりも若干大きな幅寸法を有している。そして、この走行凹部７２内に形成される空間部には、下側取付装置６１の水平ローラ６８が走行可能かつ回転可能に嵌合保持される。すなわち、この水平ローラ６８は、走行凹部７２の底面よりも上方に位置しており、この走行凹部７２の両側面に周面を接触させた状態で、この走行凹部７２内に収容されている。
【００３９】
さらに、下ガイドレール７１の走行凹部７２の両側縁部としての開口縁には、細長平板状の係合保持部としての一対の抜止片部７３がそれぞれ一体的に設けられている。これら一対の抜止片部７３は、走行凹部７２の開口縁に沿って互いに向い合う方向に向けて突出している。また、これら一対の抜止片部７３は、走行凹部７２の長手方向に沿って設けられている。すなわち、これら一対の抜止片部７３は、下ガイドレール７１の走行凹部７２に回転可能かつ走行可能嵌合保持された水平ローラ６８を、この走行凹部７２に対して抜止保持する。
【００４０】
次に、上記一実施の形態の組立て動作を説明する。
【００４１】
まず、上側取付装置１１の組み立て動作としては、走行部材３１の貫通孔３４の上側から、調整ボルト２１の先端側を挿入して、この調整ボルト２１の頭部２７を走行部材３１の係止段部３５に回転可能に係合させる。
【００４２】
この状態で、この調整ボルト２１の先端側に水平ローラ３６を挿通させて、この水平ローラ３６を調整ボルト２１の回転軸部２６に回転可能に挿通させる。
【００４３】
さらに、この調整ボルト２１の先端側に操作部材３７のプレス操作部３８を挿通させた後に、この操作部材３７の樹脂操作部３９を挿通させて、これらプレス操作部３８および樹脂操作部３９のそれぞれを調整ボルト２１の係合部２５に係合させる。
【００４４】
この後、この調整ボルト２１のリング溝２４にＥリング４１を係合させて、この調整ボルト２１に挿通された走行部材３１、水平ローラ３６および操作部材３７のそれぞれを抜け止め保持させる。
【００４５】
この状態で、調整ボルト２１の先端側を上側連結部材１４の取付溝部１６に挿入して、この調整ボルト２１の雄ねじ部２３を上側連結部材１４の雌ねじ部１８に所定距離螺合させるとともに、操作部材３７の下端側を上側連結部材１４の取付溝部１６のローレット１７に係合させて上側取付装置１１を組み立てる。
【００４６】
次いで、開口部１への扉体２の建て付け動作としては、まず、上側取付装置１１の走行部材３１の各ガイドローラ３３を、開口部１の上端部に取り付けられた上ガイドレール５１のローラ受面５３に回転可能かつ走行可能に嵌合させる。同時に、この上ガイドレール５１のガイド溝５２に各走行部材３１の水平ローラ３６をそれぞれ回転可能かつ走行可能に嵌合させる。
【００４７】
この後、開口部１の下端部に取り付けられた下ガイドレール７１の走行凹部７２に下側取付装置６１の水平ローラ６８を回転可能かつ走行可能に嵌合保持させる。
【００４８】
この状態で、扉体２の背面上側の取付凹部３に取り付けたベースカップ１２の嵌合凹部１３に、上ガイドレール５１に走行可能に支持された上側取付装置１１の上側連結部材１４を嵌合させる。
【００４９】
同時に、扉体２の背面下側の取付凹部３に取り付けたベースカップ１２の嵌合凹部１３に、下ガイドレール７１に走行可能に保持された下側取付装置６１の下側連結部材６２を嵌合させて、この下ガイドレール７１と上ガイドレール５１との間に扉体２を建て付ける。
【００５０】
ここで、これら上ガイドレール５１と下ガイドレール７１との間に建て付けられた扉体２の上下方向を調整する場合には、この扉体２に取り付けられた上側取付装置１１の操作部材３７に六角スパナなどの治具を係合させて、この上側取付装置１１の調整ボルト２１を周方向に向けて回転させる。
【００５１】
すると、この調整ボルト２１の回転により、この調整ボルト２１の雄ねじ部２３による上側連結部材１４の雌ねじ部１８への螺合距離が上下方向に沿って変化し、この上側連結部材１４と走行部材３１との間の間隔が上下調整される。
【００５２】
上述したように、上記一実施の形態によれば、走行部材３１の貫通孔３４の上側から調整ボルト２１の先端部を挿通させてから、この調整ボルト２１の回転軸部２６に水平ローラ３６を挿通させるとともに、この調整ボルト２１の係合部２５に操作部材３７を係合させた後、この調整ボルト２１の雄ねじ部２３を上側連結部材１４の雌ねじ部１８に螺合させるだけで、この上側連結部材１４と走行部材３１との間の間隔が調整可能な上側取付装置１１を組み立てることができる。よって、固着剤などの特殊な固定手段を用いることなく、走行部材３１と上側取連結部材１４とを調整ボルト２１にて上下調整可能に連結できるので、これら走行部材３１と上側連結部材１４との組み付け性を容易にできる。
【００５３】
また、調整ボルト２１を回転操作させる操作部材３７を調整ボルト２１の係合部２５に挿通させて係合させる構成としたことにより、調整ボルト２１の係合部２５の外径寸法を、この調整ボルト２１の雄ねじ部２３の外径寸法よりも若干大きくでき、かつこの調整ボルト２１の回転軸部２６よりも若干小さくできるとともに、この調整ボルト２１の雄ねじ部２３と係合部２５との外径寸法の差を小さくできる。よって、製造コストが比較的掛かる切削加工を用いることなく、製造コストが比較的掛からないヘッダー加工のみで調整ボルト２１を製造できる。このため、この調整ボルト２１の製造を容易にでき、この調整ボルト２１の製造コストを削減できる。
【００５４】
さらに、この調整ボルト２１の回転を操作する操作部材３７を軸方向に沿って分割して、金属のプレス加工により成形されたプレス材であるプレス操作部３８と、合成樹脂製の樹脂操作部３９とにて構成し、この樹脂操作部３９の上側にプレス操作部３８を取り付けた。このため、これらプレス操作部３８および樹脂操作部３９に六角スパナなどの治具を係合させた際に、この六角スパナが斜め下方から傾斜して嵌合された場合であっても、この六角スパナにより調整ボルト２１を回転させた際に生じ得る、樹脂操作部３９の外周面の各角部の破損をプレス操作部３８にて防止できる。よって、製造が容易なプレス加工により製造された金属製のプレス操作部３８によって、調整ボルト２１を回転させる際の樹脂操作部３９の破損を簡単な構成で確実に防止できるから、使い勝手をより向上できるとともに、製造性をより向上できる。
【００５５】
同時に、操作部材３７の樹脂操作部３９を上側連結部材１４の取付溝部１６のローレット１７に係合させたので、この上側連結部材１４の取付溝部１６のローレット１７にプレス操作部３８を係合させる場合に比べ、調整ボルト２１を回転させた際に生じ得る、上側連結部材１４の取付溝部１６のローレット１７の削れや破損を簡単な構成で確実に防止できるから、使い勝手をより向上でき、製造性をより向上できる。
【００５６】
また、調整ボルト２１の先端部を走行部材３１の貫通孔３４に挿通させた後、この調整ボルト２１の先端部に水平ローラ３６および操作部材３７を挿通させて取り付けた状態で、この調整ボルト２１のリング溝２４にＥリング４１を取り付けた。この結果、このＥリング４１によって調整ボルト２１に挿通された走行部材３１、水平ローラ３６および操作部材３７それぞれが抜け止め保持される。
【００５７】
よって、この調整ボルト２１を回転させて走行部材３１と上側連結部材１４との間の間隙を調整した際に、この調整ボルト２１の移動とともに操作部材３７のプレス操作部３８および樹脂操作部３９のそれぞれが確実に移動する。このため、これらプレス操作部３８および樹脂操作部３９が上側連結部材１４の取付溝部１６内に取り残されるなどの不具合を確実に防止できる。
【００５８】
さらに、調整ボルト２１の先端部を走行部材３１の貫通孔３４に挿通させた後、この調整ボルト２１の先端部に水平ローラ３６を挿通させて取り付けて、この水平ローラ３６を上ガイドレール５１のガイド溝５２に回転可能かつ走行可能に嵌合させた。この結果、この上ガイドレール５１の長手方向に向けて扉体２を移動させた際に生じ得る、この扉体２の厚さ方向への揺れや振動などを簡単な構成で確実に防止できる。
【００５９】
なお、上記一実施の形態では、開口部１の上端部および下端部に取り付けられた上ガイドレール５１および下ガイドレール７１に沿って移動可能な扉体２について説明したが、この扉体２は開口部１の開閉方向に沿って移動する引き戸でもよく、また複数の扉体２の相対する内側端が回動可能に連結され、各後面側を合わせるように一体的に折り畳み自在とされた折り戸でもよい。
【００６０】
さらに、操作部材３７を軸方向に沿って２つに分割して構成し、この操作部材３７の上側をプレス操作部３８とするとともに、この操作部材３７の下側を樹脂操作部３９としたが、少なくとも一つ以上プレス操作部３８があれば、操作部材３７を軸方向に沿って少なくとも２つ以上に分割することもできる。
【００６１】
また、上側連結部材１４の取付溝部１６内の下端側に内周面にねじ溝が形成された雌ねじ部１８を設け、この雌ねじ部１８に調整ボルト２１の雄ねじ部２３を螺合させたが、走行部材３１の貫通孔３４の内周面にねじ溝を設けて雌ねじ部１８とし、上側連結部材１４の取付溝部１６を下端面に貫通させることにより、上記一実施の形態と同様の作用効果を奏することができる。
【００６２】
すなわち、調整ボルト２１を反転させて、この調整ボルト２１の先端部を上側連結部材１４の下側から、この上側連結部材１４の取付溝部１６に挿通させた後、この調整ボルト２１に操作部材３７を挿通させて係合させてから、この調整ボルト２１に水平ローラ３６を挿通させて回転可能に取り付ける。この後、この調整ボルト２１の先端部を走行部材３１の貫通孔３４の下側から挿入させて、この走行部材３１の貫通孔３４に設けた雌ねじ部に螺合させる。この結果、調整ボルト２１の回転により、上側連結部材１４と走行部材３１との間の間隔が調整できるように構成される。
【００６３】
さらに、調整ボルト２１の係合部２５を断面略矩形筒状としたが、円筒以外の断面多角形筒状であってもよい。また、操作部材３７の外周面を断面正六角形状としたが、六角スパナなどの治具が係合されて調整ボルト２１が回転可能であれば、円形以外の断面多角形状であってもよい。
【００６４】
【発明の効果】
請求項１記載の開閉体装置によれば、調整部材の頭部を走行部材および連結部材のいずれか他方に回転可能に係合するとともに、調整部材の係合部に操作部材を係合させて取り付けた後、この調整部材の雄ねじ部を走行部材および連結部材のいずれか一方の雌ねじ部に螺合するだけで、これら走行部材と連結部材との間隔が調整部材にて調整可能となるから、これら走行部材および連結部材の組み付け性を容易にでき、また、調整部材の係合部に操作部材を係合させて取り付けたので、この調整部材の雄ねじ部および係合部の径寸法の差を小さくできるから、この調整部材の製造を容易にでき、この調整部材の製造コストを削減できる。
【００６５】
請求項２記載の開閉体装置によれば、操作部材を軸方向に沿って複数の部材に分割して設け、これら部材の少なくとも一つをプレス材としたので、この操作部材の操作で調整部材を回転させる際の、この操作部材の破損を簡単な構成で確実に防止できる。
【図面の簡単な説明】
【図１】本発明の一実施の形態の開閉体装置を示す分解斜視図である。
【図２】同上開閉体装置を示す説明断面図である。
【図３】同上開閉体装置の一部を示す背面図である。
【図４】同上開閉体装置の一部を示す上面図である。
【符号の説明】
２    開閉体としての扉体
１４    連結部材としての上側連結部材
１８    雌ねじ部
２１    調整部材としての調整ボルト
２３    雄ねじ部
２５    係合部
２７    頭部
３１    走行部材
３７    操作部材
３８    プレス材としてのプレス操作部
５１    ガイド部材としての上ガイドレール
【図１】
2004270220.tif 000003
【図２】
2004270220.tif 000004
【図３】
2004270220.tif 000005
【図４】
2004270220.tif 000006